(57)【要約】【課題】検出スイッチの損傷を抑制可能な電子機器及び撮像装置を提供する。【解決手段】デジタルカメラ１００は、カバー部６１に固定される突起部６３ｃを有するスライドカバー６０と、ノブ６４が下限位置に位置する場合に突出部６３ｃに隣接する係止板９５を有する樹脂フレーム９０と、を備える。突起部６３ｃと係止板９５とは、ノブ６４が下限位置に位置する場合に、前板１０が樹脂フレーム９０から離間することを規制する。【選択図】図７
2012137626.tif 000002
【特許請求の範囲】
【請求項１】
スライド開口部を有する板状部材を含む筐体と、
前記板状部材上に配置され、所定の方向に沿ってスライド可能に前記スライド開口部に取り付けられるカバー部と、前記カバー部に固定され、前記筐体内に突出する被検出部と、前記カバー部に固定される第１規制部と、を有するスライドカバーと、
所定の位置に位置する前記被検出部に当接する当接部を含み前記当接部が前記被検出部に当接したことを検出する検出スイッチと、前記被検出部が前記所定の位置に位置する場合に前記第１規制部に隣接する第２規制部と、を有しており、前記筐体内に配置される内部部材と、
を備え、
前記第１規制部と前記第２規制部とは、前記被検出部が前記所定の位置に位置する場合に、前記板状部材が前記内部部材から離間することを規制する、
電子機器。
【請求項２】
前記第２規制部は、前記被検出部が前記所定の位置に位置する場合、前記第１規制部と前記板状部材との間に配置される、
請求項１に記載の電子機器。
【請求項３】
前記第１規制部は、前記筐体内に延出する突起であり、
前記第２規制部は、前記被検出部が前記所定の位置に位置する場合に、前記突起を収容する収容空間を形成する、
請求項１又は２に記載の電子機器。
【請求項４】
前記突起は、前記所定の方向に沿って形成され、
前記収容空間は、前記所定の方向に沿って形成される、
請求項３に記載の電子機器。
【請求項５】
前記当接部は、前記板状部材の外面に垂直な方向を軸心として回動可能である、
請求項１乃至４のいずれかに記載の電子機器。
【請求項６】
前記当接部は、前記被検出部が前記所定の位置に移動する場合に、前記被検出部によって回動される、
請求項５に記載の電子機器。
【請求項７】
前記当接部が前記被検出部に当接したことが前記検出スイッチによって検出された場合に電流の供給を開始する電源制御部
を備える請求項１乃至６のいずれかに記載の電子機器。
【請求項８】
前記内部部材は、前記筐体の内面に沿って配置されるフレームである、
請求項１乃至７のいずれかに記載の電子機器。
【請求項９】
前記第１規制部は、前記板状部材の内面の中央部上方に配置される、
請求項１乃至８のいずれかに記載の電子機器。
【請求項１０】
スライド開口部を有する板状部材を含む筐体と、
前記板状部材上に配置され、所定の方向に沿ってスライド可能に前記スライド開口部に取り付けられるカバー部と、前記カバー部に固定され、前記筐体内に突出する被検出部と、前記カバー部に固定される第１規制部と、を有するスライドカバーと、
所定の位置に位置する前記被検出部に当接する当接部を含み前記当接部が前記被検出部に当接したことを検出する検出スイッチと、前記被検出部が前記所定の位置に位置する場合に前記第１規制部に隣接する第２規制部と、を有しており、前記筐体内に配置される内部部材と、
前記筐体に取り付けられるレンズと、
を備え、
前記第１規制部と前記第２規制部とは、前記被検出部が前記所定の位置に位置する場合に、前記板状部材が前記内部部材から離間することを規制する、
撮像装置。
【発明の詳細な説明】
【技術分野】
【０００１】
本発明は、スライドカバーを備える電子機器及び撮像装置に関する。
【背景技術】
【０００２】
従来、筐体の一部を構成する前板と、前板に固定されるレンズと、前板に形成される開口にスライド可能に取り付けられるスライドカバーと、を備えるデジタルカメラが知られている（特許文献１参照）。特許文献１のデジタルカメラでは、スライドカバーをスライドさせることによって、レンズを露出することができる。
【先行技術文献】
【特許文献】
【０００３】
【特許文献１】特開２０１０−２１０９３６号公報
【発明の概要】
【発明が解決しようとする課題】
【０００４】
ここで、特許文献１に記載のデジタルカメラにおいて、レンズの露出に応じて、電源のＯＮ／ＯＦＦやレンズの開閉を検出する機構を設けることが考えられる。具体的には、筐体内の検出スイッチに設けられる回動可能なレバーを、スライドカバーから筐体内に突出する被検出部で押し下げることによって、電源のＯＮやレンズの開を検出できる。
【０００５】
しかしながら、デジタルカメラに外力（例えば、落下による衝撃力）が加えられた場合、前板が弾性的に変形することに伴って被検出部がレバーから外れるおそれがある。このような状態で前板が弾性的に復元すれば、レバーが被検出部によって回動不能な方向に押し付けられ、検出スイッチが損傷を受けてしまう。
【０００６】
本発明は、上述の状況に鑑みてなされたものであり、検出スイッチの損傷を抑制可能な電子機器及び撮像装置を提供することを目的とする。
【課題を解決するための手段】
【０００７】
本発明に係る電子機器は、筐体と、スライドカバーと、内部部材と、を備える。筐体は、開口を有する板状部材を含む。スライドカバーは、前記板状部材上に配置され、所定の方向に沿ってスライド可能に前記開口に取り付けられるカバー部と、前記カバー部に固定され、前記筐体内に突出する被検出部と、前記カバー部に固定される第１規制部と、を有する。内部部材は、前記筐体内に配置される。内部部材は、所定の位置に位置する前記被検出部に当接する当接部を含み前記当接部が前記被検出部に当接したことを検出する検出スイッチと、前記被検出部が前記所定の位置に位置する場合に前記第１規制部に隣接する第２規制部と、を有する。
【発明の効果】
【０００８】
本発明によれば、検出スイッチの損傷を抑制可能な電子機器を提供することができる。
【図面の簡単な説明】
【０００９】
【図１】実施形態に係るデジタルカメラ１００の斜視図である。
【図２】実施形態に係るデジタルカメラ１００の正面図である。
【図３】実施形態に係るデジタルカメラ１００の分解斜視図である。
【図４】実施形態に係る前板１０の背面図である。
【図５】実施形態に係るスライドカバー６０の構成を示す斜視図である。
【図６】実施形態に係る樹脂フレーム９０の斜視図である。
【図７】図６の部分拡大図である。
【図８】実施形態に係るレバー９３ｂとノブ６４との位置関係を示す模式図である。
【図９】図２（ａ）のＩＸａ−ＩＸａ線及びＩＸｂ−ＩＸｂ線における断面図である。
【図１０】図２（ｂ）のＸａ−Ｘａ線及びＸｂ−Ｘｂ線における断面図である。
【発明を実施するための形態】
【００１０】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１１】
なお、以下の実施形態では、スライドカバーを備える電子機器としてデジタルカメラを例に挙げて説明する。以下の説明では、通常姿勢（以下、横撮り姿勢ともいう）のデジタルカメラを基準として、被写体に向かう方向を「前方」、被写体の反対に向かう方向を「後方」、鉛直上方を「上方」、鉛直下方を「下方」、被写体に正対した状態における右向きを「右方」、被写体に正対した状態における左向きを「左方」、と表現する。また、以下の実施形態では、デジタルカメラのスライドカバーの開状態が「電源ＯＮ状態」に対応し、デジタルカメラのスライドカバーの閉状態が「電源ＯＦＦ状態」に対応する。
【００１２】
（デジタルカメラ１００の全体構成）
実施形態に係るデジタルカメラ１００の全体構成について、図面を参照しながら説明する。図１（ａ）は、実施形態に係るデジタルカメラ１００を前方から見た斜視図である。図１（ｂ）は、実施形態に係るデジタルカメラ１００を後方から見た斜視図である。図２（ａ）は、実施形態に係るデジタルカメラ１００の電源ＯＦＦ状態を示す正面図である。図２（ｂ）は、実施形態に係るデジタルカメラ１００の電源ＯＮ状態を示す正面図である。図３は、実施形態に係るデジタルカメラ１００を前方から見た分解斜視図である。なお、図３では、モニタ７０及びレンズ８０が省略されている。
【００１３】
デジタルカメラ１００は、前板１０（「板状部材」の一例）と、後板２０と、上板３０と、第１側板４０と、第２側板５０と、スライドカバー６０と、モニタ７０と、レンズ８０と、樹脂フレーム９０（「内部部材」の一例）と、を備える。前板１０、後板２０、上板３０、第１側板４０及び第２側板５０は、本実施形態に係る「筐体」を構成する。
【００１４】
前板１０は、樹脂フレーム９０の前方に配置される。前板１０は、外面１０Ｓを有する。後板２０は、樹脂フレーム９０の後方に配置される。上板３０は、樹脂フレーム９０の上方に配置される。第１側板４０は、樹脂フレーム９０の左方に配置される。第２側板５０は、樹脂フレーム９０の右方に配置される。スライドカバー６０は、上下方向に沿ってスライド可能に前板１０に取り付けられる。スライドカバー６０は、上方にスライドされることで閉状態となり、下方にスライドされることで開状態となる。スライドカバー６０の構成については後述する。モニタ７０は、樹脂フレーム９０と後板２０の間に配置される。レンズ８０は、樹脂フレーム９０と前板１０の間に配置される。レンズ８０は、スライドカバー６０が閉状態の場合にスライドカバー６０によって覆われ、スライドカバー６０が開状態の場合にスライドカバー６０から露出する。樹脂フレーム９０は、筐体内に配置される。樹脂フレーム９０は、筐体を構成する各板を筐体の内側から支持する。
【００１５】
（前板１０の構成）
実施形態に係る前板１０の構成について、図面を参照しながら説明する。図４は、実施形態に係る前板１０の背面図である。前板１０は、内面１０Ｔと、レンズ開口部１１と、スライド開口部１２と、を有する。
【００１６】
レンズ開口部１１は、内面１０Ｔの左上に形成される。レンズ開口部１１を通して外部の光がレンズ８０に入射する。
【００１７】
スライド開口部１２は、第１開口１２ａと、第２開口１２ｂと、スライドレール１２ｃと、突出部１２ｄと、を有する。第１開口１２ａは、レンズ開口部１１の下方に形成される。第１開口１２ａは、左右方向に延びる矩形形状を有する。第２開口１２ｂは、内面１０Ｔの中央に形成される。第２開口１２ｂは、上下方向に延びる矩形形状を有する。スライドレール１２ｃは、第１開口１２ａと第２開口１２ｂとの間に形成され、両者を隔てる。突出部１２ｄは、第１開口１２ａの下辺から第１開口１２ａの中央に向かって突出する。
【００１８】
（スライドカバー６０の構成）
実施形態に係るスライドカバー６０の構成について、図面を参照しながら説明する。図5（ａ）は、スライドカバー６０の閉状態（すなわち、電源ＯＦＦ状態）を示す斜視図である。図5（ｂ）は、スライドカバー６０の開状態（すなわち、電源ＯＮ状態）を示す斜視図である。
【００１９】
スライドカバー６０は、カバー部６１と、第１スライド部６２と、第２スライド部６３と、ノブ６４（「被検出部」の一例）と、ばね６５と、を備える。
【００２０】
カバー部６１は、前板１０の外面１０Ｓ（図１参照）上に配置される板状部材である。カバー部６１は、上下方向に沿ってスライド可能にスライド開口部１２に取り付けられる。
【００２１】
第１スライド部６２は、第１開口１２ａ内に配置され、カバー部６１に固定される。第１スライド部６２は、基板６２ａと、左突出部６２ｂと、を有する。基板６２ａは、カバー部６１に沿って配置される。左突出部６２ｂは、基板６２ａから左方に突出する。左突出部６２ｂは、前板１０の内面１０Ｔ上に配置される。
【００２２】
第２スライド部６３は、スライダー６３ａと、右突出部６３ｂと、突起部６３ｃ（「第１規制部」の一例）と、を有する。スライダー６３ａは、スライドレール１２ｃ上に配置され、カバー部６１に固定される。スライダー６３ａは、スライドレール１２ｃ上を上下方向に沿ってスライドする。右突出部６３ｂは、スライダー６３ａから右方に突出する。右突出部６３ｂは、前板１０の内面１０Ｔ上に配置される。突起部６３ｃは、右突出部６３ｂから下方に延出する。突起部６３ｃは、前板１０の内面１０Ｔの中央部上方に配置される。突起部６３ｃは、上下方向に沿って形成される。突起部６３ｃは、前板１０の内面１０Ｔ上に配置される。
【００２３】
ノブ６４は、カバー部６１に固定される。ノブ６４は、カバー部６１から筐体内に突出する。ノブ６４は、前後方向に沿って形成される突起である。
【００２４】
ばね６５は、突出部１２ｄと第１スライド部６２の基板６２ａとに取り付けられている。ばね６５は、カバー部６１がユーザによって上下にスライドされる際に、カバー部６１に付勢力を与える。
【００２５】
（樹脂フレーム９０の構成）
実施形態に係る樹脂フレーム９０の構成について、図面を参照しながら説明する。図６は、実施形態に係る樹脂フレーム９０を前方から見た斜視図である。図７は、図６の部分拡大図である。
【００２６】
樹脂フレーム９０は、フレーム本体９１と、ノブ溝９２と、検出スイッチ９３と、スライダーガイド板９４と、係止板９５（「第２規制部」の一例）と、を備える。
【００２７】
フレーム本体９１は、樹脂材料によって構成される。フレーム本体９１は、筐体を構成する各板（前板１０、後板２０、上板３０、第１側板４０及び第２側板５０）を筐体の内側から支持する。フレーム本体９１は、前板１０の内面１０Ｔに対向する対向面９１Ｓを有する。
【００２８】
ノブ溝９２は、フレーム本体９１において上下方向に沿って形成されている。ノブ溝９２には、ノブ６４が挿入される（図８参照）。ノブ６４は、ノブ溝９２内を上下方向に移動可能である。
【００２９】
検出スイッチ９３は、フレーム本体９１の対向面９１Ｓ上に配置されている。検出スイッチ９３は、図７に示すように、本体９３ａと、レバー９３ｂ（「当接部」の一例）と、を備える。本体９３ａは、対向面９１Ｓに固定される。レバー９３ｂは、本体９３ａに回動可能に支持される。本実施形態において、レバー９３ｂは、前板１０（「板状部材」の一例）の外面１０Ｓに垂直な方向（すなわち、前後方向）に平行な軸心Ｐを中心として回動する。
【００３０】
ここで、図８（ａ）及び図８（ｂ）は、レバー９３ｂ（「当接部」の一例）とノブ６４（「被検出部」の一例）との位置関係を示す模式図である。ただし、図８（ａ）においてスライドカバー６０は閉状態であり、図８（ｂ）においてスライドカバー６０は開状態である。
【００３１】
図８（ａ）に示すように、スライドカバー６０が閉状態の場合、ノブ６４は、上限位置に位置する。レバー９３ｂは、上限位置に位置するノブ６４の下方に位置しており、ノブ６４に当接しない。レバー９３ｂは、ノブ溝９２上を跨ぐように配置されている。
【００３２】
図８（ｂ）に示すように、スライドカバー６０が開状態の場合、ノブ６４は、下限位置（「所定の位置」の一例）に位置する。レバー９３ｂは、下限位置に位置するノブ６４に当接する。レバー９３ｂは、上限位置から下限位置に移動するノブ６４によって下方に回動される。これによって、デジタルカメラ１００が電源ＯＮされる。また、レバー９３ｂは、ノブ６４が上方に移動することによって、元の位置（ノブ溝９２上を跨ぐ位置）に復帰する。これによって、デジタルカメラ１００が電源ＯＦＦされる。
【００３３】
検出スイッチ９３は、レバー９３ｂが下方に回動されることに応じて、レバー９３ｂがノブ６４に当接したことを検出する。この際、検出スイッチ９３に接続された電源制御部（不図示）は、モニタ７０や図示しないコントローラへの電源の供給を開始する。
【００３４】
スライダーガイド板９４は、フレーム本体９１の対向面９１Ｓに取り付けられる。スライダーガイド板９４は、スライダー溝９４ａを有する。スライダー溝９４ａは、スライダーガイド板９４において上下方向に沿って形成されている。スライダー溝９４ａには、スライダー６３ａが挿入される。スライダー６３ａは、スライダー溝９４ａ内を上下方向に移動可能である。
【００３５】
係止板９５（「第２規制部」の一例）は、前板１０の内面１０Ｔに対向する。係止板９５は、フレーム本体９１の対向面９１Ｓの一部を形成している。係止板９５は、係止板９５の後方において収納空間９５ａを形成している。収納空間９５ａは、上下方向に沿って形成されている。収納空間９５ａは、ノブ６４が下限位置（図８（ｂ）参照）に位置する場合に、第２スライド部６３の突起部６３ｃ（「第１規制部」の一例）を収納するための空間である。
【００３６】
また、係止板９５は、ノブ６４が下限位置（図７（ｂ）参照）に位置する場合に、突起部６３ｃに隣接する。具体的に、係止板９５は、ノブ６４が下限位置に位置する場合に、突起部６３ｃの前方に位置する。すなわち、係止板９５は、突起部６３ｃと前板１０との間に配置される。これにより、突起部６３ｃの前方への移動、すなわち、前板１０の樹脂フレーム９０からの離間が規制されている。
【００３７】
ただし、係止板９５と突起部６３ｃとは密着しておらず、係止板９５と突起部６３ｃとの間には所定の間隔が設けられている。そのため、前板１０は、樹脂フレーム９０に対して、所定の間隔の範囲で前後に動くことができる。換言すれば、前板１０は、係止板９５と突起部６３ｃとによって、樹脂フレーム９０から所定の間隔以上離間することが規制されている。
【００３８】
（突起部６３ｃとノブ６４の動作）
実施形態に係る突起部６３ｃとノブ６４の動作について、図面を参照しながら説明する。図９（ａ）は、図２（ａ）のＩＸａ−ＩＸａ線における断面図である。図９（b）は、図２（ａ）のＩＸｂ−ＩＸｂ線における断面図である。図１０（ａ）は、図２（ｂ）のＸａ−Ｘａ線における断面図である。図１０（ｂ）は、図２（ｂ）のＸｂ−Ｘｂ線における断面図である。図９は、スライドカバー６０の閉状態（電源ＯＦＦ状態）を示しており、図１０は、スライドカバー６０の開状態（電源ＯＮ状態）を示している。
【００３９】
図９（ａ）に示すように、スライドカバー６０の閉状態では、突起部６３ｃは、収納空間９５ａの上方に位置している。ユーザがカバー部６１を下方にスライドさせることによってスライドカバー６０が閉状態になると、図１０（ａ）に示すように、突起部６３ｃは、収納空間９５ａ内に収納される。この場合、突起部６３ｃの前方には、係止板９５が位置している。そのため、突起部６３ｃと係止板９５とは、前板１０が樹脂フレーム９０から離間することを規制する。
【００４０】
図９（ｂ）に示すように、スライドカバー６０の閉状態では、ノブ６４は、ノブ溝９２内の上端位置に位置している。ユーザがカバー部６１を下方にスライドさせることによってスライドカバー６０が閉状態になると、図１０（ｂ）に示すように、ノブ６４は、ノブ溝９２内の下端位置に移動し、検出スイッチ９３のレバー９３ｂを下方に回動させる。これによって、デジタルカメラ１００の電源はＯＮされる。
【００４１】
（作用及び効果）
（１）実施形態に係るデジタルカメラ１００は、カバー部６１に固定される突起部６３ｃ（「第１規制部」の一例）を有するスライドカバー６０と、ノブ６４（「被検出部」の一例）が下限位置（「所定位置」の一例）に位置する場合に突出部６３ｃに隣接する係止板９５（「第２規制部」の一例）を有する樹脂フレーム９０（「内部部材」の一例）と、を備える。突起部６３ｃと係止板９５とは、ノブ６４が下限位置に位置する場合に、前板１０が樹脂フレーム９０から離間することを規制する。
【００４２】
そのため、デジタルカメラ１００に外力（例えば、落下による衝撃力）が加えられた場合に、前板１０が弾性的に変形することによって、前板１０が樹脂フレーム９０から離間することを規制できる。そのため、ノブ６４が検出スイッチ９３のレバー９３ｂ（「当接部」の一例）から外れることを規制できるので、前板１０が弾性的に復元することに伴って、検出スイッチ９３が損傷を受けることを抑制することができる。
【００４３】
（２）本実施形態に係るデジタルカメラ１００において、係止板９５は、ノブ６４が下限位置に位置する場合、突出部６３ｃと前板１０との間に配置される。
【００４４】
従って、前板１０が弾性的に変形した場合、突出部６３ｃが係止板９５に当たることによって、前板１０が樹脂フレーム９０から離間することが規制される。このように、簡易な構成によって前板１０が樹脂フレーム９０から離間することを規制できるので、デジタルカメラ１００の内部構成が複雑になることを抑制できる。
【００４５】
（３）突出部６３ｃは、筐体内に延出する突起であり、係止板９５は、ノブ６４が下限位置に位置する場合に、突出部６３ｃを収容する収容空間９５ａを形成する。
【００４６】
このように、突出部６３ｃを収容空間９５ａに収容することによって、突出部６３ｃを係止板９５により確実に係止させることができる。
【００４７】
（４）突出部６３ｃは、上下方向（「所定の方向」の一例）に沿って形成され、収容空間９５ａは、上下方向に沿って形成される。
【００４８】
このように、突出部６３ｃ及び収納空間９５ａは、カバー部６１がスライドする方向に沿って形成されている。そのため、カバー部６１のスライドに伴って突出部６３を収納空間９５ａに差し込むことができるので、簡易な構成によって突出部６３を収納空間９５ａに収納できる。従って、デジタルカメラ１００の内部構成が複雑になることを抑制できる。
【００４９】
（５）レバー９３ｂは、前板１０の外面１０Ｓに垂直な方向を軸心Ｐとして回動可能である。一方で、レバー９３ｂは、前板１０の外面１０Ｓに平行な方向を軸心Ｐとして回動不能である。そのため、レバー９３ｂは、ノブ６４によって後方に押し付けられることによって損傷を受けやすい。本実施形態に係るデジタルカメラ１００では、このような損傷を受けやすいレバー９３ｂを用いる場合においても、検出スイッチ９３が損傷を受けることを抑制できる。
【００５０】
（６）レバー９３ｂは、ノブ６４が下限位置に移動する場合に、ノブ６４によって回動される。そのため、簡易な構成によってノブ６４がレバー９３ｂに当接したことを検出できる。
【００５１】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００５２】
（Ａ）上記実施形態では、「板状部材」の一例として前板１０について説明したが、これに限られるものではない。「板状部材」としては、後板２０、上板３０、第１側板４０及び第２側板５０が挙げられる。
【００５３】
（Ｂ）上記実施形態では、「第１規制部」の一例として突起部６３ｃについて説明するとともに、「第２規制部」の一例として係止板９５について説明したが、これに限られるものではない。「第１規制部」及び「第２規制部」としては、互いに極性の異なる一対の磁石などを用いることができる。
【００５４】
（Ｃ）上記実施形態では、「被検出部」の一例としてノブ６４について説明したが、これに限られるものではない。「被検出部」としては、筐体内に突出する棒状部材などを用いることができる。
【００５５】
（Ｄ）上記実施形態では、「当接部」の一例としてレバー９３ｂについて説明したが、これに限られるものではない。「当接部」としては、板状部材や、所定の方向に沿って伸縮する弾性部材（例えばバネ）などを用いることができる。
【００５６】
（Ｅ）上記実施形態において、突起部６３ｃは、下方に向かって突出することとしたが、これに限られるものではない。突起部６３ｃは、下方とは異なる方向に突出していてもよい。この場合、係止板９５は、突起部６３ｃの形状に対応する形状を有していればよい。
【００５７】
（Ｆ）上記実施形態において、突起部６３ｃが前方に位置する係止板９５に当たることによって、前板１０が樹脂フレーム９０から離間することを規制することとしたが、これに限られるものではない。突起部６３ｃと係止部９５とは、機械的に連結（係止）されていてもよい。
【００５８】
（Ｇ）上記実施形態では、「電子機器」の一例としてデジタルカメラ１００を挙げて説明したが、これに限られるものではない。「電子機器」としては、ビデオカメラ、携帯電話、ＩＣレコーダーなどが挙げられる。
【００５９】
このように、本発明はここでは記載していない様々な実施形態等を含むことは勿論である。従って、本発明の技術的範囲は上記の説明から妥当な特許請求の範囲に係る発明特定事項によってのみ定められるものである。
【産業上の利用可能性】
【００６０】
本発明によれば、検出スイッチの損傷を抑制可能な電子機器及び撮像装置を提供することができるので、電子機器分野に利用可能である。
【符号の説明】
【００６１】
１０…前板、１０Ｔ…内面、１０Ｓ…外面、１１…開口部、１２…スライド開口部、１２ａ…第１開口、１２ｂ…第２開口、１２ｃ…スライドレール、１２ｄ…突出部、２０…後板、３０…上板、４０…第１側板、５０…第２側板、６０…スライドカバー、６１…カバー部、６２…第１スライド部、６３…第２スライド部、６３ａ…スライダー、６３ｂ…右突出部、６３ｃ…突起部（「第１規制部」の一例）、６４…ノブ（「被検出部」の一例）、６５…ばね、７０…モニタ、８０…レンズ、９０…樹脂フレーム、９１…フレーム本体、９１Ｓ…対向面、９２…ノブ溝、９３…検出スイッチ、９３ａ…本体、９３ｂ…レバー（「当接部」の一例）、９４…スライダーガイド板、９４ａ…スライダー溝、９５…係止板（「第２規制部」の一例）、９５ａ…収納空間、１００…デジタルカメラ、Ｐ…軸心
【図１】
2012137626.tif 000003
【図２】
2012137626.tif 000004
【図３】
2012137626.tif 000005
【図４】
2012137626.tif 000006
【図５】
2012137626.tif 000007
【図６】
2012137626.tif 000008
【図７】
2012137626.tif 000009
【図８】
2012137626.tif 000010
【図９】
2012137626.tif 000011
【図１０】
2012137626.tif 000012